(57)【要約】【課題】本発明は、パレット上に立設した矩形枠状フレームを強固に固定すると共に取付作業がし易く、更に取り付け後の移動をなくした固定フレームと、また、搬送後に解体する収納をし易くしたリターナブルコンテナ提供することを目的とする。【解決手段】上記課題を解決するため、パレットと、該パレットの四辺上に分解可能に立設される矩形枠状フレームと、少なくとも３つの矩形枠状フレームに固定する固着部を備えた一体型又は分割型固定フレームからなるリターナブルコンテナ。【選択図】図６
2008068883.tif 000002
【特許請求の範囲】
【請求項１】
パレットと、該パレットの四辺上に分解可能に立設される矩形枠状フレームと、少なくとも３つの矩形枠状フレームに固定される一体型又は分割型の固定フレームからなるリターナブルコンテナ。
【請求項２】
固定フレームは、Ｔ字型が２個連結した形状からなることを特徴とする請求項１記載のリターナブルコンテナ。
【請求項３】
固定フレームの先端部を固定する矩形枠状フレームの固定箇所の両側に、帯状ストッパーを設けたことを特徴とする請求項１〜２の何れかに記載のリターナブルコンテナ。
【発明の詳細な説明】
【技術分野】
【０００１】
本発明は、荷物搬送前に組み立て、搬送後は折り畳んで返還することにより繰り返し使用を可能としたリターナブルコンテナに関するものである。
【背景技術】
【０００２】
従来より種々の形態のものが知られており、例えば、底部となる平面視矩形状のスキッドの四辺上に矩形枠状のフレームが分解可能に立設されることによりその内部が物品収納スペースとされ、分解時にはスキッド上に各フレームが載置されて平面的な収納状態とされるリターナブルケースで、前記スキッドの四隅に、第１の方向に沿った板部Ａおよび第１の方向に直交する第２の方向に沿った板部Ｂを有する平面視Ｌ字状のコーナーガイドが固定され、第１の方向に沿った板部Ａに、第１の方向に沿う前記フレームの下端部が結合され、第１の方向に沿うフレームの上端部に、前記と同様のコーナーガイドが固定され、前記コーナーガイドにおける前記第２の方向に沿った板部Ｂに、第２の方向に沿う前記フレームの上端部を結合した後一方向のフレーム上部にガード部材を着脱可能に横架されるリターナブルケース（特許文献１）、
或いは、パレットの四辺上に金属製の矩形枠状フレームを立設し、該矩形枠状フレームのコーナ部をＬ字状金具で固定した後天井中央にＨ型の止め金具を取り付けるリターナブルコンテナで、図７に示すように、該Ｌ字状金具Ｘは、Ｌ字状パイプｐの一端部にＵ字状プレートｒ１とボルトｒ２・ナット（図示せず）による金具ｒ、他端部にＵ字状プレート金具ｓを取り付けてなり、該Ｌ字状金具Ｘを予め一方の矩形枠状フレームを形成するパイプｔに取り付け、パレット上に金属製の矩形枠状フレームを立設した後他端部のＵ字状プレート金具ｓを他方の矩形枠状フレームを形成するパイプｕへ嵌合させるリターナブルコンテナなどが従来より知られている。
【０００３】
しかしながら、前者は組立解体に時間を要し、フレーム上部に取り付けたガード部材は一方向であるため揺れが大きくコーナーガイドに負担がかかり弛むことがあった。また、後者は揺れとブレが大きいために運搬中の振動でＬ字状金具が外れることがあり、又支柱をしっかり固定できずガタついて荷崩れも発生していた。更に、矩形枠状フレームにＬ字状金具を予め取り付けてあるため解体した時外方に突出しているため邪魔になり、或いは他の部材に接触して変形・破損が生じ、他の部材にも傷付けやすく、更に、平面的収納が難しい等々の問題点があった。
【特許文献１】特開平７−２７７３３０号公報
【発明の開示】
【発明が解決しようとする課題】
【０００４】
本発明は従来のリターナブルコンテナにおける問題点を解決したもので、パレット上に立設した矩形枠状フレームを強固に固定すると共に取付作業がし易く、更に取り付け後の移動をなくした固定フレームと、また、搬送後に解体する収納をし易くしたリターナブルコンテナ提供することを目的とする。
【課題を解決するための手段】
【０００５】
本発明は、上記の課題を解決するための手段として、パレットと、該パレットの四辺上に分解可能に立設される矩形枠状フレームと、少なくとも３つの矩形枠状フレームに固定される一体型又は分割型の固定フレームからなるリターナブルコンテナを特徴とする。
【０００６】
また、固定フレームは、Ｔ字型が２個連結した形状からなるリターナブルコンテナを特徴とする。
【０００７】
更に、固定フレームの先端部を固定する矩形枠状フレームの固定箇所の両側に、帯状ストッパーを設けたリターナブルコンテナを特徴とする。
【発明の効果】
【０００８】
本発明のリターナブルコンテナは、パレットと、該パレットの四辺上に分解可能に立設される矩形枠状フレームと、少なくとも３つの矩形枠状フレームに固定される一体型又は分割型の固定フレームにより形成したので、固定フレームの縦方向の桟が縦方向を、同フレームの横方向の桟が横方向を固定するので、組み立て後の矩形枠状フレームは強固に固定され、更にパレットの大きさや積み重ねるリターナブルコンテナの重さに応じて固定フレームを選択することができ、矩形枠状フレーム間への取付作業がし易くなった。
【０００９】
また、矩形枠状フレームには従来のような止め金具を設けていないので、リターナブルコンテナを解体した後収納する場合に凸部状になる部分がなく収まりが良くなった。
【００１０】
更に、固定フレームの先端部を固定する矩形枠状フレームの固定箇所の両側に、帯状ストッパーを設けたので、矩形枠状フレーム間に取り付けた固定フレームは左右に動くことがない。
【発明を実施するための最良の形態】
【００１１】
本発明を実施例に沿って詳細に説明する。
【実施例】
【００１２】
図１は、本発明のリターナブルコンテナＲＣの底部材となるパレット１の斜視図を示すものである。図２ａは、該パレット１の四辺上に立設される長辺側の矩形枠状フレーム２の正面図、図２ｂは、同じく該パレット１の四辺上に立設される短辺側の矩形枠状フレーム３の正面図を示すものである。図３ａは、パレット１の四辺上に立設された矩形枠状フレーム３間に取り付けて該矩形枠状フレーム３を固定する固定フレーム４の正面図、図３ｂは、固定フレーム４の桟４１の先端に設けた固定具４２の斜視図を示すものである。図４は、パレット１の四辺上に立設した矩形枠状フレーム２（３）と、該矩形枠状フレーム２（３）間に取り付けた固定フレーム４の斜視図を示すものである。図５は、矩形枠状フレーム２，３間に取り付ける分割型固定フレーム４ａと一体型固定フレーム４ｂの他の実施例を示すものである。図６は、パレット１の四辺上に矩形枠状フレーム２，３を立設し、該矩形枠状フレーム２，３間に分割型固定フレーム４ａ，４ａを取り付けたリターナブルコンテナＲＣの斜視図を示すものである。図７は、リターナブルコンテナＲＣを分解した斜視図を示すものである。
【００１３】
本発明のリターナブルコンテナＲＣを図１〜７に基づいて以下説明する。
本発明のリターナブルコンテナＲＣを形成するパレット１は、所定の間隔で設けた横架材１１に直交する方向へ複数枚の平板１２を所定の間隔で固定して矩形状の簀の子を形成し、その周辺に矩形枠状フレーム２，３を立設する穴１３が穿設されて形成されている。
【００１４】
上記パレット１の四辺上に立設される矩形枠状フレーム２，３は、正面視コ字状の金属パイプ２１，３１と、その金属パイプ２１，３１の開放端側へ金属パイプ２２，３２を水平方向に、更に、金属パイプ２１，３１と金属パイプ２２，３２との間に金属パイプ２３，３３を垂直方向に設けて矩形状の枠フレームを形成し、金属パイプ２１，３１の所定位置に帯状ストッパー２４，３４を取り付けて矩形枠状フレーム２，３が形成される。
【００１５】
上記矩形枠状フレーム２，３は、その下端部をパレット１の周辺に設けた穴１３へ挿入することによりパレット１の四辺上に立設される。この状態ではパレット１上に組み立てた矩形枠状フレーム２，３は不安定であり、立設された矩形枠状フレーム２，３を強固なものとするため矩形枠状フレーム２，３間に固定フレーム４が設置される。
固定フレーム４の一実施例として金属パイプで鳥居型に形成した固定フレーム４が図３ａに示されている。該固定フレーム４を矩形枠状フレーム２，３に固定する手段として、固定フレーム４を形成する桟４１の先端にＵ字状の固定具４２を取り付け、矩形枠状フレーム２，３の金属パイプ２１，３１に該固定具４２を嵌着することにより該固定フレーム４が矩形枠状フレーム２，３間に設置されてパレット１に立設された矩形枠状フレーム２，３は強固なものとなる。
【００１６】
矩形枠状フレーム２（３）と固定フレーム４の結合部分を拡大した斜視図が図４に示されているが、パレット１の四辺上に立設した矩形枠状フレーム２（３）を形成する金属パイプ２１（３１）の所定位置に取り付けた帯状ストッパー２４（３４），２４（３４）間へ固定フレーム４の先端に設けた固定具４２が嵌着されている。図面に示すように、金属パイプ２１（３１）の所定位置に２つの帯状ストッパー２４（３４）が所定の間隔で取り付けられているので、固定フレーム４を定位置に嵌め込むのを容易にし、更に、金属パイプ２１（３１）に嵌着させる固定具４２は２つの帯状ストッパー２４（３４）により動きが封じられ、縦、横の揺れを防ぐことができる。
【００１７】
上記したように、パレット１の四辺上に立設した矩形枠状フレーム２（３）間に固定フレーム４を取り付けたが、図５に示すように該固定フレーム４は分割型固定フレーム４ａと一体型固定フレーム４ｂがあり、パレット１の四辺上に立設された矩形枠状フレーム２（３）で囲まれる空間の大きさ、或いは、段積みされるリターナブルコンテナＲＣの重量により必要とされる強度を考慮して、適宜選択して使用される。
【００１８】
以上リターナブルコンテナＲＣを形成する各部材について説明したが、上記した各部材を結合して組み立てることにより図６に示すリターナブルコンテナＲＣが完成する。該リターナブルコンテナＲＣは、パレット１の四辺上に立設した矩形枠状フレーム２，３間に鳥居状の固定フレーム４を固定したが、図５に示す分割型固定フレーム４ａ、一体型固定フレームを適宜選択して取り付けられる。
【図面の簡単な説明】
【００１９】
【図１】パレットの斜視図。
【図２ａ】パレット長辺側に立設される矩形枠状フレームの正面図。
【図２ｂ】パレット短辺側に立設される矩形枠状フレームの正面図。
【図３ａ】パレットに立設した矩形枠状フレーム間に取り付ける固定フレーム。
【図３ｂ】固定フレームの桟の先端に設けた固着部の斜視図。
【図４】矩形枠状フレームと固定フレームの斜視図。
【図５】分割型固定フレームと一体型固定フレームの他の実施例。
【図６】パレットの四辺上に矩形枠状フレーム、固定フレームを組み立てたリターナブルコンテナの斜視図。
【図７】リターナブルコンテナの分解斜視図。
【図８】従来の矩形枠状フレームのコーナ部を結合する斜視図。
【符号の説明】
【００２０】
１     パレット
１１   横架材
１２   平板
１３   穴
２     矩形枠状フレーム
２１   金属パイプ
２２   金属パイプ
２３   金属パイプ
２４   帯状ストッパー
３     矩形枠状フレーム
３１   金属パイプ
３２   金属パイプ
３３   金属パイプ
３４   帯状ストッパー
４     固定フレーム
４ａ   分割型固定フレーム
４ｂ   一体型固定フレーム
４１   桟
４２   固定具
Ｘ     Ｌ字状金具
ｐ     Ｌ字状パイプｒ１とボルトｒ２
ｒ     金具
ｒ１   Ｕ字状プレート
ｒ２   ボルト
ｓ     Ｕ字状プレート金具
ｔ     パイプ
ｕ     パイプ
【図１】
2008068883.tif 000003
【図２ａ】
2008068883.tif 000004
【図２ｂ】
2008068883.tif 000005
【図３ａ】
2008068883.tif 000006
【図３ｂ】
2008068883.tif 000007
【図４】
2008068883.tif 000008
【図５】
2008068883.tif 000009
【図６】
2008068883.tif 000010
【図７】
2008068883.tif 000011
【図８】
2008068883.tif 000012